(57)【要約】
【課題】  容易に素早く複数のラックの分解、組み立てを行うことができ、隙間ができにくくほこりがたまらないため、掃除に便利であり、更に、大量のものを置くことができ、実用性及び利便性を向上させることができる万能ラックを提供することを目的とする。
【解決手段】  本考案は万能ラックの構造を提供するもので、立架体と複数の凹形フレーム体と、複数の層フレームとからなり、凹形フレーム体の結合部は間隔を開けて凹溝を有し、凹溝は網架の横ロッドと固定される縦ロッドと嵌合することができ、２つ以上の万能ラックを結合させるとき、隣り合う凹形フレーム体の先端から近い方の凹溝までの距離を間隔端の幅の半分の距離に等しくし、２つの凹形フレーム体の先端に近い側の各凹溝に２つ記縦ロッドを嵌合することができる構成とされる。
【選択図】  図１
0003101472.tif 000002
【実用新案登録請求の範囲】
【請求項１】
少なくとも２つの立架体と、複数の凹形フレーム体と、複数の層フレームとからなり、
両サイドに設置される上記立架体は、２つの縦ロッドが具備する１つの挟み口内を網架の横ロッドの前端、後端が貫通し、相対する上記挟み口に固定設置され、
上記凹形フレーム体は、１つの側の面に結合面を有し、もう１つの側の面に開放面を有し、上記結合面の両端はそれぞれ結合部を有し、
上記結合部は、２つの上記立架体のそれぞれの両側に設置される上記縦ロッドに相対して設けられ、各層の相対し合う各上記凹形フレーム体はそれぞれの上記開放面が相対するよう設置され、上記層フレームの上記開放面に相対する側はそれぞれ上記開放面の内側上端縁に固定設置される構造で、
上記凹形フレーム体の上記結合面上にある上記結合部は２つの間隔を開けて立て向きに形成される凹溝を有し、上記凹溝は上記網架の上記横ロッドと固定される上記縦ロッドと嵌合することができ、
２つ以上の万能ラックを結合させるとき、隣り合う２つの凹形フレーム体の各隣接する側の先端から近い方の上記凹溝までの距離をちょうど上記間隔端の幅の半分の距離に等しくし、２つの上記凹形フレーム体の先端に近い側の各上記凹溝に２つの上記縦ロッドを嵌合することができる構造により、１組の万能ラックの上記立架体に上記凹形フレーム体を増設させ、架体を延長させることを可能とすることを特徴とする万能ラック。
【請求項２】
上記万能ラックは上記層フレーム底部を補強する為の補強フレームを有し、
１つの上記補強フレームは、多少の幅があり、細長い板状で、両端にそれぞれ曲折部を有し、上端に１つの補強面を有し、上記補強フレームの上記曲折部を上記凹形フレーム体の上記フレーム溝空間内に設置することにより補強することができ、
各層の相対し合う各上記凹形フレーム体の上記開放面内側上端に上記層フレーム側端を固定設置した状態において、上記層フレームの側端底縁と上記開放面下端との間に１つのフレーム溝空間を具備し、
上記フレーム溝空間は上記補強フレームの上記曲折部を嵌入設置することができる構造で、１つの上記補強フレームの２つの上記曲折部のそれぞれを２つの各上記凹形フレーム体の上記フレーム溝空間内に設置したとき、
上記補強フレームは、上端に層フレーム底面を支える為の上記補強面により、層フレーム底部を補強することにより、万能ラック上に重い物を置くことが可能であることを特徴とする請求項１記載の万能ラック。
【考案の詳細な説明】
【技術分野】
【０００１】
本考案は万能ラックに係るものであり、特に、分解及び組み立てが便利で、架体を延長することができ、且つ、補強構造を具備する構造の万能ラックに係るものである。
【背景技術】
【０００２】
従来の多層式ラックは、対角に位置する４本の縦ロッドを有し、縦ロッド上に各層フレームを、間隔を開けて設置する構造である。その他に、多層式ラックの構造として、２つの側に立架体を有する構造とするものがある。立架体の間に、各層フレームを直接有する、或は２つの側の立架体の間に補強板、フレームロッドを有することにより、層フレームを補強、固定する構造となっている。このような従来の多層式ラックにおいて、様々な改良すべき課題があり、これらの課題を解決するための改良、開発が関係業界では目標となっている。
【考案の開示】
【考案が解決しようとする課題】
【０００３】
しかしながら、ほとんどのラックは分解或は組み立てが容易ではなく、特に大量のものを置く為に、複数のラックを組み立てる時、１つ１つのラックを別々に組み立てる必要があり、利便性に欠けるという問題があった。
【０００４】
また、床が平でない場合、隣り合うラックの縦ロッドや立架体は完全に重なり合わせることが難しい為、隙間ができ易く、空間を取ってしまったり、ほこりがたまり易く、掃除が難しいという問題点があった。
【０００５】
また、大部分の従来のラックは一定の重量制限があり、各層フレームは重過ぎる物品に耐えられる構造ではなく、使用者の多くが自分で行う解決方法としては、補強板或はフレームロッドの間に１つの木板或は鉄板等の補強品を置いて補強するという方法があるが、この方法ではラックの全体的美観を損なってしまうという問題があった。
【０００６】
本考案は、容易に素早く複数のラックの分解、組み立てを行うことができ、隙間ができにくくほこりがたまらないため、掃除に便利であり、更に、大量のものを置くことができ、実用性及び利便性を向上させることができる万能ラックを提供することを目的とする。
【課題を解決するための手段】
【０００７】
前記の目的を図るために、請求項１に記載されるように、本考案は、少なくとも２つの立架体と、複数の凹形フレーム体と、複数の層フレームとからなり、
両サイドに設置される上記立架体は、２つの縦ロッドが具備する１つの挟み口内を網架の横ロッドの前端、後端が貫通し、相対する上記挟み口に固定設置され、
上記凹形フレーム体は、１つの側の面に結合面を有し、もう１つの側の面に開放面を有し、上記結合面の両端はそれぞれ結合部を有し、
上記結合部は、２つの上記立架体のそれぞれの両側に設置される上記縦ロッドに相対して設けられ、各層の相対し合う各上記凹形フレーム体はそれぞれの上記開放面が相対するよう設置され、上記層フレームの上記開放面に相対する側はそれぞれ上記開放面の内側上端縁に固定設置される構造で、
上記凹形フレーム体の上記結合面上にある上記結合部は２つの間隔を開けて立て向きに形成される凹溝を有し、上記凹溝は上記網架の上記横ロッドと固定される上記縦ロッドと嵌合することができ、
２つ以上の万能ラックを結合させるとき、隣り合う２つの凹形フレーム体の各隣接する側の先端から近い方の上記凹溝までの距離をちょうど上記間隔端の幅の半分の距離に等しくし、２つの上記凹形フレーム体の先端に近い側の各上記凹溝に２つの上記縦ロッドを嵌合することができる構造により、１組の万能ラックの上記立架体に上記凹形フレーム体を増設させ、架体を延長させることを可能とすることにより、容易に素早く複数のラックの分解、組み立てを行うことができ、隙間ができにくくほこりがたまらないため、掃除に便利であり、更に、大量のものを置くことができ、実用性及び利便性を向上させることができる。
【０００８】
前記の目的を図るために、請求項２に記載されるように、本考案は、上記万能ラックは上記層フレーム底部を補強する為の補強フレームを有し、
１つの上記補強フレームは、多少の幅があり、細長い板状で、両端にそれぞれ曲折部を有し、上端に１つの補強面を有し、上記補強フレームの上記曲折部を上記凹形フレーム体の上記フレーム溝空間内に設置することにより補強することができ、
各層の相対し合う各上記凹形フレーム体の上記開放面内側上端に上記層フレーム側端を固定設置した状態において、上記層フレームの側端底縁と上記開放面下端との間に１つのフレーム溝空間を具備し、
上記フレーム溝空間は上記補強フレームの上記曲折部を嵌入設置することができる構造で、１つの上記補強フレームの２つの上記曲折部のそれぞれを２つの各上記凹形フレーム体の上記フレーム溝空間内に設置したとき、
上記補強フレームは、上端に層フレーム底面を支える為の上記補強面により、層フレーム底部を補強することにより、容易に素早く複数のラックの分解、組み立てを行うことができ、隙間ができにくくほこりがたまらないため、掃除に便利であり、更に、大量のものを置くことができ、実用性及び利便性を向上させることができる。
【考案の効果】
【０００９】
本考案の万能ラックにおいて、凹形フレーム体の結合面上にある結合部は２つの間隔を開けて垂直方向に形成される凹溝を有し、凹溝は網架の横ロッドと固定される縦ロッドと嵌合することができ、万能ラックを組み立てる時、ボルトやナット等を必要とせず、嵌合させるだけで組み立てることができる為、万能ラックの組み立てが便利になる。
【００１０】
また、本考案の万能ラックにおいて、２つ以上の万能ラックを結合させる時、隣合う２つの凹形フレーム体の各隣接する側の先端から近い方の凹溝までの距離をちょうど間隔端の幅の半分の距離に等しくし、２つの凹形フレーム体の先端に近い側の各凹溝に２つの縦ロッドを嵌合することにより、１組の万能ラックの立架体に凹形フレーム体を増設させ、架体を延長させることができ、上記構造により、使用者は大量のものを置く為に、複数のラックを組み立てる時、１つ１つのラックを別々に組み立てる必要がなく、直接１組の本考案の万能ラックの立架体に凹形フレーム体を増設することにより、架体を延長させることができる。
【００１１】
また、本考案の万能ラックにおいて、万能ラックは立架体の２つの縦ロッドに凹形フレーム体と嵌合させ、架体を延長させ、隣り合う万能ラックの間を１つの立架体だけで仕切ることにより、隙間ができにくく、空間を充分に利用できる上、ほこりがたまりにくく、掃除がし易いという長所がある。
【００１２】
また、本考案の万能ラックにおいて、各層の相対し合う各凹形フレーム体の開放面内側上端に層フレーム側端を固定設置し、更に層フレームの側端底縁と開放面下端との間にできる１つのフレーム溝空間内に補強フレームの曲折部を嵌入設置することができ、補強フレームは上端に層フレームを支える為の補強面を有することにより、層フレーム底部を補強することができ、万能ラック上により重い物を置くことができるようになり、万能ラックの実用性を高めることができる。
【００１３】
また、本考案の万能ラックにおいて、補強フレームは使用者の載せるものの重さに応じて設置するかどうか決めることもでき、簡単且つ素早く設置できる為、実用性及び利便性を具備することができる。
【考案を実施するための最良の形態】
【００１４】
以下に添付図面を参照して本考案のある好適な実施の形態を詳細に説明するが、それらの構成は本考案の構造の絶対的な制限にならない。図１は、本考案の一実施例に係る万能ラックを示す斜視図である。図２は、本考案の凹形フレーム体を示す斜視図である。図３は、本考案の層フレームと凹形フレーム体との連結を示す斜視図である。図１、２、３に示すように、本考案の万能ラックの構造は、主に、少なくとも２つの立架体１０と、複数の凹形フレーム体２０と、複数の層フレーム２１とで構成される。
【００１５】
両サイドに設置される立架体１０は２つの縦ロッド１１が具備する１つの挟み口１３内を網架１２の横ロッド１２１の前端、後端が貫通し、且つ、相対する挟み口１３に固定設置されている。凹形フレーム体２０は１つの側の面に結合面２０１を有し、もう１つの側の面に開放面２０２を有する。結合面２０１の両端はそれぞれ結合部２０３を有し、結合部２０３は、２つの立架体１０のそれぞれの両側に設置される縦ロッド１１に相対して設けられる。各層の相対し合う各凹形フレーム体２０は、それぞれの開放面２０２が相対するよう設置される。層フレーム２１の開放面２０２に相対する側は、それぞれ開放面２０２の内側上端縁に固定設置される構造である。
【００１６】
本考案の万能ラックの主な特徴は、凹形フレーム体２０の結合面２０１上にある結合部２０３は２つの間隔を開けて立て向きに形成される凹溝２０４を有する。凹溝２０４は、網架１２の横ロッド１２１と固定される縦ロッド１１と嵌合することができる。上記構造により、万能ラックを組み立てる時、ボルトやナット等を必要とせず、嵌合させるだけで組み立てることができる為、万能ラックの組み立てが便利になる。
【００１７】
図４は、本考案の万能ラックの架体延長を示す斜視図である。図５は、本考案の凹形フレーム体を示す側面図である。図６は、本考案の補強フレームを示す斜視図である。図７は、本考案の凹形フレーム体に補強フレームを設置した状態を示す側面図である。図８は、本考案の凹形フレーム体に補強フレームを設置した状態を示す前方側面図である。
【００１８】
図４に示すように、２つ以上の万能ラックを結合させる時、隣合う２つの凹形フレーム体２０の各隣接する側の先端から近い方の凹溝２０４までの距離をちょうど間隔端２０５の幅の半分の距離に等しくする。２つの凹形フレーム体２０の先端に近い側の各凹溝２０４に２つの縦ロッド１１を嵌合することができる構造により、１組の万能ラックの立架体１０に凹形フレーム体２０を増設させ、架体を延長させることができる。上記構造により、使用者は大量のものを置く為に、複数のラックを組み立てる時、１つ１つのラックを別々に組み立てる必要がなく、直接１組の本考案の万能ラックの立架体１０に凹形フレーム体２０を増設することにより、架体を延長させることができる。
【００１９】
また、図４に示すように、本考案の万能ラックは立架体１０の２つの縦ロッド１１に凹形フレーム体２０と嵌合させ、架体を延長させることができる構造により、隣り合う万能ラックの間を１つの立架体１０だけで仕切ることにより、隙間ができにくく、空間を充分に利用できる上、ほこりがたまりにくく、掃除がし易いという長所がある。
【００２０】
また、万能ラックは層フレーム２１底部を補強する為の補強フレーム３０を有し、１つの補強フレーム３０は多少の幅があり、細長い板状で、両端にそれぞれ曲折部３２を有する。上端には１つの補強面３１を有し、補強フレーム３０の曲折部３２を凹形フレーム体２０のフレーム溝空間２２内に設置することにより、補強することができる（図６に示す）。
【００２１】
具体的には、各層の相対し合う各凹形フレーム体２０の開放面２０２内側上端に層フレーム２１側端を固定設置した状態において、層フレーム２１の側端底縁と開放面２０２下端との間に１つのフレーム溝空間２２を具備する（図５に示す）。フレーム溝空間２２は、補強フレーム３０の曲折部３２を嵌入設置することができる構造で、補強フレーム３０の２つの曲折部３２それぞれを２つの各凹形フレーム体２０のフレーム溝空間２２内に設置した時（図７に示す）、補強フレーム３０は上端に層フレーム２１底面を支える為の補強面３１により、層フレーム２１底部を補強することができ、上記構造により、万能ラック上に重い物を置くことができる（図８に示す）。
【００２２】
図９は、本考案の万能ラックに補強フレームを設置した状態を示す斜視図である。図１０は、本考案の補強フレームの設置方法を示す図である。図９、１０に示すように、補強フレーム３０は使用者の載せるものの重さに応じて設置するかどうか決めることもできる。また、層フレーム２１に載せる物品が比較的重い時は、数個の補強フレーム３０を各補強フレーム３０が層フレーム２１の凹形フレーム体２０と交差する方向の各フレームの間に配列されるよう、凹形フレーム体２０内に設置することにより、補強することができ、具体的には、補強フレーム３０の１つの側の曲折部３２を先にフレーム溝空間２２内に押し込み嵌合させた後、もう１つの側の曲折部３２を押し込み嵌合させる方法により設置することにより、迅速な組み付けが可能となり、実用性及び利便性を具備することができる。
【００２３】
本考案の効果を以下に記載する。
（１）凹形フレーム体２０の結合面２０１上にある結合部２０３は２つの間隔を開けて垂直方向に形成される凹溝２０４を有し、凹溝２０４は網架１２の横ロッド１２１と固定される縦ロッド１１と嵌合することができ、上記構造により、万能ラックを組み立てる時、ボルトやナット等を必要とせず、嵌合させるだけで組み立てることができる為、万能ラックの組み立てが便利になる。
（２）２つ以上の万能ラックを結合させる時、隣り合う２つの凹形フレーム体２０の各隣接する側の先端から近い方の凹溝２０４までの距離をちょうど間隔端２０５の幅の半分の距離に等しくする。２つの上記凹形フレーム体２０の先端に近い側の各凹溝２０４に２つの縦ロッド１１を嵌合することができる構造により、１組の万能ラックの立架体１０に凹形フレーム体２０を増設させ、架体を延長させることができる。上記構造により、使用者は大量のものを置く為に、複数のラックを組み立てる時、１つ１つのラックを別々に組み立てる必要がなく、直接１組の本考案の万能ラックの立架体１０に凹形フレーム体２０を増設することにより、架体を延長させることができる。
（３）万能ラックは立架体１０の２つの縦ロッド１１に凹形フレーム体２０と嵌合させ、架体を延長させることができる構造により隣り合う万能ラックの間を１つの立架体１０だけで仕切ることにより、隙間ができにくく、空間を充分に利用できる上、ほこりがたまりにくく、掃除がし易いという長所がある。
（４）各層の相対し合う各凹形フレーム体２０の開放面２０２内側上端に層フレーム２１側端を固定設置する。更に、層フレーム２１の側端底縁と開放面２０２下端との間にできる１つのフレーム溝空間２２内に補強フレーム３０の曲折部３２を嵌入設置することができ、補強フレーム３０は上端に層フレーム２１を支える為の補強面３１を有することにより、層フレーム２１底部を補強することができる。上記構造により、万能ラック上により重い物を置くことができるようになり、万能ラックの実用性を高めることができる。
（５）補強フレーム３０は使用者の載せるものの重さに応じて設置するかどうか決めることもでき、簡単且つ素早く設置できる為、実用性及び利便性を具備することができる。
【００２４】
尚、本考案の万能ラックは上記の構成や形状に限定されることなく、本考案の万能ラックを変形及び改良した構成においても適応可能である。
【図面の簡単な説明】
【００２５】
【図１】本考案の一実施例に係る万能ラックを示す斜視図である。
【図２】本考案の凹形フレーム体を示す斜視図である。
【図３】本考案の層フレームと凹形フレーム体との連結を示す斜視図である。
【図４】本考案の万能ラックの架体延長を示す斜視図である。
【図５】本考案の凹形フレーム体を示す側面図である。
【図６】本考案の補強フレームを示す斜視図である。
【図７】本考案の凹形フレーム体に補強フレームを設置した状態を示す側面図である。
【図８】本考案の凹形フレーム体に補強フレームを設置した状態を示す前方側面図である。
【図９】本考案の万能ラックに補強フレームを設置した状態を示す斜視図である。
【図１０】本考案の補強フレームの設置方法を示す図である。
【符号の説明】
【００２６】
１０            立架体
１１            縦ロッド
１２            網架
１３            挟み口
２０            凹形フレーム体
２１            層フレーム
２２            フレーム溝空間
３０            補強フレーム
３１            補強面
３２            曲折部
１２１          横ロッド
２０１          結合面
２０２          開放面
２０３          結合部
２０４          凹溝
２０５          間隔端
【図１】
0003101472.tif 000003
【図２】
0003101472.tif 000004
【図３】
0003101472.tif 000005
【図４】
0003101472.tif 000006
【図５】
0003101472.tif 000007
【図６】
0003101472.tif 000008
【図７】
0003101472.tif 000009
【図８】
0003101472.tif 000010
【図９】
0003101472.tif 000011
【図１０】
0003101472.tif 000012